(57)【要約】【課題】通信端末機に付与される電話番号の選択を可能とし、通信端末機に希望する電話番号を付与して欲しいというユーザー等の要望に応えることによって通信端末機の販売の拡大を支援する通信端末機販売支援システムを提供する。【解決手段】クライアント端末１と電話番号サーバー３により通信端末機の販売を支援するシステムであって、クライアント端末は、取得を希望する電話番号の情報を検索情報として通信回線を介して送信する検索情報送信手段４を備え、電話番号サーバーは、利用可能な電話番号を登録する電話番号登録手段６と、検索情報送信手段によって送信された検索情報を受信し、検索情報に基づいて電話番号検索を行う電話番号検索手段７と、電話番号検索手段による検索結果を告知する検索結果告知手段８とを備える。【選択図】図１
2007166657.tif 000002
【特許請求の範囲】
【請求項１】
クライアント端末及び電話番号サーバーにより通信端末機の販売を支援する通信端末機販売支援システムであって、
前記クライアント端末は、取得を希望する電話番号の情報を検索情報として通信回線を介して送信する検索情報送信手段を備え、
前記電話番号サーバーは、利用可能な電話番号を登録する電話番号登録手段と、
前記検索情報送信手段によって送信された検索情報を受信し、該検索情報に基づいて電話番号検索を行う電話番号検索手段と、
該電話番号検索手段による検索結果を告知する検索結果告知手段とを備える
ことを特徴とする通信端末機販売支援システム。
【請求項２】
前記クライアント端末は、電話番号の取得を希望するユーザーの情報をユーザー情報として通信回線を介して送信するユーザー情報送信手段を備える
ことを特徴とする請求項１に記載の通信端末機販売支援システム。
【請求項３】
前記電話番号サーバーは、取得を希望する電話番号の回線契約を行う電話回線契約手段を備える
ことを特徴とする請求項１に記載の通信端末機販売支援システム。
【請求項４】
前記クライアント端末は、電話番号の取得を希望するユーザーの情報をユーザー情報として通信回線を介して送信するユーザー情報送信手段を備え、
前記電話番号サーバーは、取得を希望する電話番号の回線契約を行う電話回線契約手段を備える
ことを特徴とする請求項１に記載の通信端末機販売支援システム。
【請求項５】
電話番号サーバーにより通信端末機の販売を支援する通信端末機販売支援システムであって、
前記電話番号サーバーは、利用可能な電話番号を登録する電話番号登録手段と、
取得を希望する電話番号の情報を検索情報として通信回線を介して受信し、該検索情報に基づいて電話番号検索を行う電話番号検索手段と、
該電話番号検索手段による検索結果を告知する検索結果告知手段とを備える
ことを特徴とする通信端末機販売支援システム。
【請求項６】
前記電話番号サーバーは、電話番号の取得を希望するユーザーの情報をユーザー情報として通信回線を介して受信するユーザー情報受信手段を備える
ことを特徴とする請求項５に記載の通信端末機販売支援システム。
【請求項７】
前記電話番号サーバーは、取得を希望する電話番号の回線契約を行う電話回線契約手段を備える
ことを特徴とする請求項５に記載の通信端末機販売支援システム。
【請求項８】
前記電話番号サーバーは、電話番号の取得を希望するユーザーの情報をユーザー情報として通信回線を介して受信するユーザー情報受信手段と、
取得を希望する電話番号の回線契約を行う電話回線契約手段を備える
ことを特徴とする請求項５に記載の通信端末機販売支援システム。
【請求項９】
クライアント端末、電話番号サーバー及び販売店端末により通信端末機の販売を支援する通信端末機販売支援システムであって、
前記クライアント端末は、取得を希望する電話番号の情報を検索情報として通信回線を介して送信する検索情報送信手段を備え、
前記電話番号サーバーは、利用可能な電話番号を登録する電話番号登録手段と、
前記検索情報送信手段によって送信された検索情報を受信し、該検索情報に基づいて電話番号検索を行う電話番号検索手段と、
該電話番号検索手段による検索結果を告知する検索結果告知手段と、
取得を希望する電話番号の回線契約を行う電話回線契約手段と、
該電話回線契約手段により回線契約がなされた場合に販売店端末に前記検索情報を契約情報として通信回線を介して送信する契約情報送信手段を備え、
前記販売店端末は、契約情報送信手段によって送信された契約情報を受信し、該契約情報を登録する契約情報登録手段を備える
ことを特徴とする通信端末機販売支援システム。
【請求項１０】
クライアント端末、電話番号サーバー及び販売店端末により通信端末機の販売を支援する通信端末機販売支援システムであって、
前記クライアント端末は、取得を希望する電話番号の情報を検索情報として通信回線を介して送信する検索情報送信手段と、
電話番号の取得を希望するユーザーの情報をユーザー情報として通信回線を介して送信するユーザー情報送信手段を備え、
前記電話番号サーバーは、利用可能な電話番号を登録する電話番号登録手段と、
前記検索情報送信手段によって送信された検索情報を受信し、該検索情報に基づいて電話番号検索を行う電話番号検索手段と、
該電話番号検索手段による検索結果を告知する検索結果告知手段と、
取得を希望する電話番号の回線契約を行う電話回線契約手段と、
該電話回線契約手段により回線契約がなされた場合に販売店端末に前記検索情報、及び／又は、前記ユーザー情報を契約情報として通信回線を介して送信する契約情報送信手段を備え、
前記販売店端末は、契約情報送信手段によって送信された契約情報を受信し、該契約情報を登録する契約情報登録手段を備える
ことを特徴とする通信端末機販売支援システム。
【請求項１１】
電話番号サーバーにより通信端末機の販売を支援する通信端末機販売支援システムであって、
前記電話番号サーバーは、利用可能な電話番号を登録する電話番号登録手段と、
取得を希望する電話番号の情報を検索情報として通信回線を介して受信し、該検索情報に基づいて電話番号検索を行う電話番号検索手段と、
該電話番号検索手段による検索結果を告知する検索結果告知手段と、
取得を希望する電話番号の回線契約を行う電話回線契約手段と、
該電話回線契約手段により回線契約がなされた場合に、前記検索情報を契約情報として通信回線を介して送信する契約情報送信手段を備える
ことを特徴とする通信端末機販売支援システム。
【請求項１２】
電話番号サーバーにより通信端末機の販売を支援する通信端末機販売支援システムであって、
前記電話番号サーバーは、利用可能な電話番号を登録する電話番号登録手段と、
取得を希望する電話番号の情報を検索情報として通信回線を介して受信し、該検索情報に基づいて電話番号検索を行う電話番号検索手段と、
該電話番号検索手段による検索結果を告知する検索結果告知手段と、
電話番号の取得を希望するユーザーの情報をユーザー情報として通信回線を介して受信するユーザー情報受信手段と、
取得を希望する電話番号の回線契約を行う電話回線契約手段と、
該電話回線契約手段により回線契約がなされた場合に、前記検索情報、及び／又は、前記ユーザー情報を契約情報として通信回線を介して送信する契約情報送信手段を備える
ことを特徴とする通信端末機販売支援システム。
【請求項１３】
販売店端末により通信端末機の販売を支援する通信端末機販売支援システムであって、
前記販売店端末は、利用可能な電話番号を登録する電話番号登録手段、取得を希望する電話番号の情報を検索情報として通信回線を介して受信し、該検索情報に基づいて電話番号検索を行う電話番号検索手段、該電話番号検索手段による検索結果を告知する検索結果告知手段、取得を希望する電話番号の回線契約を行う電話回線契約手段、該電話回線契約手段により回線契約がなされた場合に販売店端末に前記検索情報を契約情報として通信回線を介して送信する契約情報送信手段を備える電話番号サーバーの契約情報送信手段によって送信された前記契約情報を受信する契約情報受信手段と、
該契約情報受信手段によって受信した前記契約情報を登録する契約情報登録手段を備える
ことを特徴とする通信端末機販売支援システム。
【請求項１４】
販売店端末により通信端末機の販売を支援する通信端末機販売支援システムであって、
前記販売店端末は、利用可能な電話番号を登録する電話番号登録手段、取得を希望する電話番号の情報を検索情報として通信回線を介して受信し、該検索情報に基づいて電話番号検索を行う電話番号検索手段、該電話番号検索手段による検索結果を告知する検索結果告知手段、電話番号の取得を希望するユーザーの情報をユーザー情報として通信回線を介して受信するユーザー情報受信手段、取得を希望する電話番号の回線契約を行う電話回線契約手段、該電話回線契約手段により回線契約がなされた場合に販売店端末に前記検索情報、及び／又は、前記ユーザー情報を契約情報として通信回線を介して送信する契約情報送信手段を備える電話番号サーバーの契約情報送信手段によって送信された前記契約情報を受信する契約情報受信手段と、
該契約情報受信手段によって受信した前記契約情報を登録する契約情報登録手段を備える
ことを特徴とする通信端末機販売支援システム。
【請求項１５】
クライアント端末及び電話番号サーバーにより通信端末機の販売を支援する通信端末機販売支援システムであって、
前記クライアント端末は、取得を希望する電話番号の情報を検索情報として通信回線を介して送信する検索情報送信手段と、
取得を希望する通信端末機の情報を通信端末機情報として通信回線を介して送信する通信端末機情報送信手段を備え、
前記電話番号サーバーは、利用可能な電話番号を登録する電話番号登録手段と、
利用可能な通信端末機を登録する通信端末機登録手段と、
前記検索情報送信手段によって送信された検索情報を受信し、該検索情報に基づいて電話番号検索を行う電話番号検索手段と、
前記通信端末情報送信手段によって送信された通信端末機情報を受信し、該通信端末機情報に基づいて通信端末機検索を行う通信端末機検索手段と、
前記電話番号検索手段による検索結果を告知する検索結果告知手段と、
前記通信端末機検索手段による検索結果を告知する通信端末機情報告知手段とを備える
ことを特徴とする通信端末機販売支援システム。
【請求項１６】
前記クライアント端末は、電話番号の取得を希望するユーザーの情報をユーザー情報として通信回線を介して送信するユーザー情報送信手段を備える
ことを特徴とする請求項１５に記載の通信端末機販売支援システム。
【請求項１７】
前記電話番号サーバーは、取得を希望する電話番号の回線契約を行う電話回線契約手段を備える
ことを特徴とする請求項１５に記載の通信端末機販売支援システム。
【請求項１８】
前記クライアント端末は、電話番号の取得を希望するユーザーの情報をユーザー情報として通信回線を解して送信するユーザー情報送信手段を備え、
前記電話番号サーバーは、取得を希望する電話番号の回線契約を行う電話回線契約手段を備える
ことを特徴とする請求項１５に記載の通信端末機販売支援システム。
【請求項１９】
電話番号サーバーにより通信端末機の販売を支援する通信端末機販売支援システムであって、
前記電話番号サーバーは、利用可能な電話番号を登録する電話番号登録手段と、
利用可能な通信端末機を登録する通信端末機登録手段と、
取得を希望する電話番号の情報を検索情報として通信回線を介して受信し、該検索情報に基づいて電話番号検索を行う電話番号検索手段と、
取得を希望する通信端末機の情報を通信端末機情報として通信回線を介して受信し、該通信端末機情報に基づいて通信端末機検索を行う通信端末機検索手段と、
前記電話番号検索手段による検索結果を告知する検索結果告知手段と、
前記通信端末機検索手段による検索結果を告知する通信端末機情報告知手段とを備える
ことを特徴とする通信端末機販売支援システム。
【請求項２０】
前記電話番号サーバーは、電話番号の取得を希望するユーザーの情報をユーザー情報として通信回線を介して受信するユーザー情報受信手段を備える
ことを特徴とする請求項１９に記載の通信端末機販売支援システム。
【請求項２１】
前記電話番号サーバーは、取得を希望する電話番号の回線契約を行う電話回線契約手段を備える
ことを特徴とする請求項１９に記載の通信端末機販売支援システム。
【請求項２２】
前記電話番号サーバーは、電話番号の取得を希望するユーザーの情報をユーザー情報として通信回線を介して受信するユーザー情報受信手段と、
取得を希望する電話番号の回線契約を行う電話回線契約手段を備える
ことを特徴とする請求項１９に記載の通信端末機販売支援システム。
【請求項２３】
クライアント端末、電話番号サーバー及び販売店端末により通信端末機の販売を支援する通信端末機販売支援システムであって、
前記クライアント端末は、取得を希望する電話番号の情報を検索情報として通信回線を介して送信する検索情報送信手段と、
取得を希望する通信端末機の情報を通信端末機情報として通信回線を介して送信する通信端末機情報送信手段を備え、
前記電話番号サーバーは、利用可能な電話番号を登録する電話番号登録手段と、
利用可能な通信端末機を登録する通信端末機登録手段と、
前記検索情報送信手段によって送信された検索情報を受信し、該検索情報に基づいて電話番号検索を行う電話番号検索手段と、
前記通信端末機情報送信手段によって送信された通信端末機情報を受信し、該通信端末機情報に基づいて通信端末機検索を行う通信端末機検索手段と、
前記電話番号検索手段による検索結果を告知する検索結果告知手段と、
前記通信端末機検索手段による検索結果を告知する通信端末機情報告知手段と、
取得を希望する電話番号の回線契約を行う電話回線契約手段と、
該電話回線契約手段により回線契約がなされた場合に販売店端末に前記検索情報及び通信端末機情報を契約情報として通信回線を介して送信する契約情報送信手段を備え、
前記販売店端末は、契約情報送信手段によって送信された契約情報を受信し、該契約情報を登録する契約情報登録手段を備える
ことを特徴とする通信端末機販売支援システム。
【請求項２４】
クライアント端末、電話番号サーバー及び販売店端末により通信端末機の販売を支援する通信端末機販売支援システムであって、
前記クライアント端末は、取得を希望する電話番号の情報を検索情報として通信回線を介して送信する検索情報送信手段と、
取得を希望する通信端末機の情報を通信端末機情報として通信回線を介して送信する通信端末機情報送信手段と、
電話番号の取得を希望するユーザーの情報をユーザー情報として通信回線を介して送信するユーザー情報送信手段を備え、
前記電話番号サーバーは、利用可能な電話番号を登録する電話番号登録手段と、
利用可能な通信端末機を登録する通信端末機登録手段と、
前記検索情報送信手段によって送信された検索情報を受信し、該検索情報に基づいて電話番号検索を行う電話番号検索手段と、
前記通信端末機情報送信手段によって送信された通信端末機情報を受信し、該通信端末機情報に基づいて通信端末機検索を行う通信端末機検索手段と、
前記電話番号検索手段による検索結果を告知する検索結果告知手段と、
前記通信端末機検索手段による検索結果を告知する通信端末機情報告知手段と、
取得を希望する電話番号の回線契約を行う電話回線契約手段と、
該電話回線契約手段により回線契約がなされた場合に販売店端末に前記検索情報、及び／又は、前記ユーザー情報、及び通信端末機情報を契約情報として通信回線を介して送信する契約情報送信手段を備え、
前記販売店端末は、契約情報送信手段によって送信された契約情報を受信し、該契約情報を登録する契約情報登録手段を備える
ことを特徴とする通信端末機販売支援システム。
【請求項２５】
電話番号サーバーにより通信端末機の販売を支援する通信端末機販売支援システムであって、
前記電話番号サーバーは、利用可能な電話番号を登録する電話番号登録手段と、
利用可能な通信端末機を登録する通信端末機登録手段と、
取得を希望する電話番号の情報を検索情報として通信回線を介して受信し、該検索情報に基づいて電話番号検索を行う電話番号検索手段と、
取得を希望する通信端末機の情報を通信端末機情報として通信回線を介して受信し、該通信端末機情報に基づいて通信端末機検索を行う通信端末機検索手段と、
前記電話番号検索手段による検索結果を告知する検索結果告知手段と、
前記通信端末機検索手段による検索結果を告知する通信端末機情報告知手段と、
取得を希望する電話番号の回線契約を行う電話回線契約手段と、
該電話回線契約手段により回線契約がなされた場合に、前記検索情報及び通信端末機情報を契約情報として通信回線を介して送信する契約情報送信手段を備える
ことを特徴とする通信端末機販売支援システム。
【請求項２６】
電話番号サーバーにより通信端末機の販売を支援する通信端末機販売支援システムであって、
前記電話番号サーバーは、利用可能な電話番号を登録する電話番号登録手段と、
利用可能な通信端末機を登録する通信端末機登録手段と、
取得を希望する電話番号の情報を検索情報として通信回線を介して受信し、該検索情報に基づいて電話番号検索を行う電話番号検索手段と、
取得を希望する通信端末機の情報を通信端末機情報として通信回線を介して受信し、該通信端末機情報に基づいて通信端末機検索を行う通信端末機検索手段と、
前記電話番号検索手段による検索結果を告知する検索結果告知手段と、
前記通信端末機検索手段による検索結果を告知する通信端末機情報告知手段と、
電話番号の取得を希望するユーザーの情報をユーザ情報として通信回線を介して受信するユーザー情報受信手段と、
取得を希望する電話番号の回線契約を行う電話回線契約手段と、
該電話回線契約手段により回線契約がなされた場合に、前記検索情報、及び／又は、前記ユーザー情報、及び通信端末機情報を契約情報として通信回線を介して送信する契約情報送信手段を備える
ことを特徴とする通信端末機販売支援システム。
【請求項２７】
販売店端末により通信端末機の販売を支援する通信端末機販売支援システムであって、
前記販売店端末は、利用可能な電話番号を登録する電話番号登録手段、利用可能な通信端末機を登録する通信端末機登録手段、取得を希望する電話番号の情報を検索情報として通信回線を介して受信し、該検索情報に基づいて電話番号検索を行う電話番号検索手段、取得を希望する通信端末機の情報を通信端末機情報として通信回線を介して受信し、該通信端末機情報に基づいて通信端末機検索を行う通信端末機検索手段、前記電話番号検索手段による検索結果を告知する検索結果告知手段、前記通信端末機検索手段による検索結果を告知する通信端末機情報告知手段、取得を希望する電話番号の回線契約を行う電話回線契約手段、該電話回線契約手段により回線契約がなされた場合に販売店端末に前記検索情報及び前記通信端末機情報を契約情報として通信回線を介して送信する契約情報送信手段を備える電話番号サーバーの契約情報送信手段によって送信された前記契約情報を受信する契約情報受信手段と、
該契約情報受信手段によって受信した前記契約情報を登録する契約情報登録手段を備える
ことを特徴とする通信端末機販売支援システム。
【請求項２８】
販売店端末により通信端末機の販売を支援する通信端末機販売支援システムであって、
前記販売店端末は、利用可能な電話番号を登録する電話番号登録手段、利用可能な通信端末機を登録する通信端末機登録手段、取得を希望する電話番号の情報を検索情報として通信回線を介して受信し、該検索情報に基づいて電話番号検索を行う電話番号検索手段、取得を希望する通信端末機の情報を通信端末機情報として通信回線を介して受信し、該通信端末機情報に基づいて通信端末機検索を行う通信端末機検索手段、前記電話番号検索手段による検索結果を告知する検索結果告知手段、前記通信端末機検索手段による検索結果を告知する通信端末機情報告知手段、電話番号の取得を希望するユーザーの情報をユーザー情報として通信回線を介して受信するユーザー情報受信手段、取得を希望する電話番号の回線契約を行う電話回線契約手段、該電話回線契約手段により回線契約がなされた場合に販売店端末に前記検索情報、及び／又は、前記ユーザー情報、及び前記通信端末機情報を契約情報として通信回線を介して送信する契約情報送信手段を備える電話番号サーバーの契約情報送信手段によって送信された前記契約情報を受信する契約情報受信手段と、
該契約情報受信手段によって受信した前記契約情報を登録する契約情報登録手段を備える
ことを特徴とする通信端末機販売支援システム。
【発明の詳細な説明】
【技術分野】
【０００１】
本発明は、通信端末機販売支援システムに関する。詳しくは、電話番号登録手段と、電話番号検索手段と、検索結果報告手段によって通信端末機の販売を支援する通信端末機販売支援システムに係るものである。
【背景技術】
【０００２】
従来、携帯電話やpersonal handyphone system（以下、ＰＨＳと言う）等の通信端末機の販売は、販売代理店等が第一種電気通信事業者に対して予め電話番号が付与された通信端末機を発注し販売を行う場合と、電話番号が付与されていない通信端末機を発注し販売を行う場合の２つのケースにより行われている。
即ち、前者は、販売代理店等が予め電話番号が付与された通信端末機を第一種電気通信事業者へ発注し、取り寄せた通信端末機の購入を希望するユーザー等に販売を行うというものである。
一方、後者は、販売代理店等が電話番号の付与されていない通信端末機を第一種電気通信事業者へ発注し、取り寄せた通信端末機の購入を希望するユーザー等に販売を行う際に通信端末機に電話番号を付与し販売を行うというものである。
【発明の開示】
【発明が解決しようとする課題】
【０００３】
しかしながら、前者の販売方法では、販売代理店等が取り寄せた通信端末機の中からユーザー等が通信端末機の機種を選択した場合に、通信端末機に予め電話番号が付与されているために、例え、電話番号が付与された通信端末機の在庫を多数保有する販売代理店であったとしても、希望の電話番号を選択できる余地が非常に狭くなってしまうという不都合があった。
なお、多店舗展開を行っている販売代理店の場合には、あるいは他店への問い合わせ等を行うことによって、ある程度希望の機種、希望の電話番号を有する在庫が見つかる場合も想定できなくは無いが、通信端末機の種類が多種にわたっている現状を考えると、その可能性は低く、また、在庫が見つかったとしても他店からの携帯電話の取り寄せにある程度の時間を要してしまうといった不都合が生じるものである。
また、一度、希望する電話番号が付与された通信端末機を購入し、その後に通信端末機の機種変更手続きを行うことによって、希望する通信端末機及び希望する電話番号を入手することが可能ではあるが、無用の手間と、不必要な費用が発生するという不都合が生じるものである。
【０００４】
また、後者の販売方法では、第一種電気通信事業者が販売代理店等の店頭に設置した端末によって自動的に電話番号が通信端末機に付与されるようになっているので、通信端末機の購入を希望するユーザー等は全く電話番号を選択する余地が無いといった不都合があった。
なお、第一種電気通信事業者が販売代理店等の店頭に設置する端末の種類によっては、通信端末機に電話番号を付与するサーバーから提示された数種類の電話番号から希望の電話番号を選択することが可能なものもあったが、それでもなお、選択できる電話番号の数が少なく、希望する電話番号を選択できる可能性は極めて低いものであった。
【０００５】
本発明は、以上の点に鑑みて創案されたものであって、通信端末機に付与される電話番号の選択を可能とし、通信端末機に希望する電話番号を付与して欲しいというユーザー等の要望に応えることによって、通信端末機の販売拡大を支援する通信端末機販売支援システムを提供することを目的とするものである。
【課題を解決するための手段】
【０００６】
上記の目的を達成するために、本発明に係る通信端末機販売支援システムは、クライアント端末及び電話番号サーバーにより通信端末機の販売を支援する通信端末機販売支援システムであって、前記クライアント端末は、取得を希望する電話番号の情報を検索情報として通信回線を介して送信する検索情報送信手段を備え、前記電話番号サーバーは、利用可能な電話番号を登録する電話番号登録手段と、前記検索情報送信手段によって送信された検索情報を受信し、該検索情報に基づいて電話番号検索を行う電話番号検索手段と、該電話番号検索手段による検索結果を告知する検索結果告知手段とを備えることを特徴とする。
【０００７】
また、本発明に係る通信端末機販売支援システムは、電話番号サーバーにより通信端末機の販売を支援する通信端末機販売支援システムであって、前記電話番号サーバーは、利用可能な電話番号を登録する電話番号登録手段と、取得を希望する電話番号の情報を検索情報として通信回線を介して受信し、該検索情報に基づいて電話番号検索を行う電話番号検索手段と、該電話番号検索手段による検索結果を告知する検索結果告知手段とを備えることを特徴とする。
【０００８】
ここで、検索情報送信手段により取得を希望する電話番号の情報を電話番号サーバーに送信することによって、電話番号サーバーにおいて検索の対象とすべき電話番号の特定を行っている。
また、電話番号登録手段により、現在利用可能である、即ち、通信端末機に付与することが可能である電話番号を登録し、検索情報に基づき検索を行う際の被検索データを構成している。
更に、電話番号検索手段により、電話番号登録手段に登録された電話番号の中から、検索情報に基づいて検索を行う。
また、検索結果告知手段により、取得を希望する電話番号の検索を行ったユーザーは、希望する電話番号の利用が可能であるか否かについての情報を得ることができる。
【０００９】
また、本発明に係る通信端末機販売支援システムは、クライアント端末、電話番号サーバー及び販売店端末により通信端末機の販売を支援する通信端末機販売支援システムであって、前記クライアント端末は、取得を希望する電話番号の情報を検索情報として通信回線を介して送信する検索情報送信手段を備え、前記電話番号サーバーは、利用可能な電話番号を登録する電話番号登録手段と、前記検索情報送信手段によって送信された検索情報を受信し、該検索情報に基づいて電話番号検索を行う電話番号検索手段と、該電話番号検索手段による検索結果を告知する検索結果告知手段と、取得を希望する電話番号の回線契約を行う電話回線契約手段と、該電話回線契約手段により回線契約がなされた場合に販売店端末に前記検索情報を契約情報として通信回線を介して送信する契約情報送信手段を備え、前記販売店端末は、契約情報送信手段によって送信された契約情報を受信し、該契約情報を登録する契約情報登録手段を備えることを特徴とする。
【００１０】
また、本発明に係る通信端末機販売支援システムは、クライアント端末、電話番号サーバー及び販売店端末により通信端末機の販売を支援する通信端末機販売支援システムであって、前記クライアント端末は、取得を希望する電話番号の情報を検索情報として通信回線を介して送信する検索情報送信手段と、電話番号の取得を希望するユーザーの情報をユーザー情報として通信回線を介して送信するユーザー情報送信手段を備え、前記電話番号サーバーは、利用可能な電話番号を登録する電話番号登録手段と、前記検索情報送信手段によって送信された検索情報を受信し、該検索情報に基づいて電話番号検索を行う電話番号検索手段と、該電話番号検索手段による検索結果を告知する検索結果告知手段と、取得を希望する電話番号の回線契約を行う電話回線契約手段と、該電話回線契約手段により回線契約がなされた場合に販売店端末に前記検索情報、及び／又は、前記ユーザー情報を契約情報として通信回線を介して送信する契約情報送信手段を備え、前記販売店端末は、契約情報送信手段によって送信された契約情報を受信し、該契約情報を登録する契約情報登録手段を備えることを特徴とする。
【００１１】
また、本発明に係る通信端末機販売支援システムは、電話番号サーバーにより通信端末機の販売を支援する通信端末機販売支援システムであって、前記電話番号サーバーは、利用可能な電話番号を登録する電話番号登録手段と、取得を希望する電話番号の情報を検索情報として通信回線を介して受信し、該検索情報に基づいて電話番号検索を行う電話番号検索手段と、該電話番号検索手段による検索結果を告知する検索結果告知手段と、取得を希望する電話番号の回線契約を行う電話回線契約手段と、該電話回線契約手段により回線契約がなされた場合に、前記検索情報を契約情報として通信回線を介して送信する契約情報送信手段を備えることを特徴とする。
【００１２】
また、本発明に係る通信端末機販売支援システムは、電話番号サーバーにより通信端末機の販売を支援する通信端末機販売支援システムであって、前記電話番号サーバーは、利用可能な電話番号を登録する電話番号登録手段と、取得を希望する電話番号の情報を検索情報として通信回線を介して受信し、該検索情報に基づいて電話番号検索を行う電話番号検索手段と、該電話番号検索手段による検索結果を告知する検索結果告知手段と、電話番号の取得を希望するユーザーの情報をユーザー情報として通信回線を介して受信するユーザー情報受信手段と、取得を希望する電話番号の回線契約を行う電話回線契約手段と、該電話回線契約手段により回線契約がなされた場合に、前記検索情報、及び／又は、前記ユーザー情報を契約情報として通信回線を介して送信する契約情報送信手段を備えることを特徴とする。
【００１３】
また、本発明に係る通信端末機販売支援システムは、販売店端末により通信端末機の販売を支援する通信端末機販売支援システムであって、前記販売店端末は、利用可能な電話番号を登録する電話番号登録手段、取得を希望する電話番号の情報を検索情報として通信回線を介して受信し、該検索情報に基づいて電話番号検索を行う電話番号検索手段、該電話番号検索手段による検索結果を告知する検索結果告知手段、取得を希望する電話番号の回線契約を行う電話回線契約手段、該電話回線契約手段により回線契約がなされた場合に販売店端末に前記検索情報を契約情報として通信回線を介して送信する契約情報送信手段を備える電話番号サーバーの契約情報送信手段によって送信された前記契約情報を受信する契約情報受信手段と、該契約情報受信手段によって受信した前記契約情報を登録する契約情報登録手段を備えることを特徴とする。
【００１４】
また、本発明に係る通信端末機販売支援システムは、販売店端末により通信端末機の販売を支援する通信端末機販売支援システムであって、前記販売店端末は、利用可能な電話番号を登録する電話番号登録手段、取得を希望する電話番号の情報を検索情報として通信回線を介して受信し、該検索情報に基づいて電話番号検索を行う電話番号検索手段、該電話番号検索手段による検索結果を告知する検索結果告知手段、電話番号の取得を希望するユーザーの情報をユーザー情報として通信回線を介して受信するユーザー情報受信手段、取得を希望する電話番号の回線契約を行う電話回線契約手段、該電話回線契約手段により回線契約がなされた場合に販売店端末に前記検索情報、及び／又は、前記ユーザー情報を契約情報として通信回線を介して送信する契約情報送信手段を備える電話番号サーバーの契約情報送信手段によって送信された前記契約情報を受信する契約情報受信手段と、該契約情報受信手段によって受信した前記契約情報を登録する契約情報登録手段を備えることを特徴とする。
【００１５】
ここで、電話回線契約手段により、電話番号検索手段による検索の結果、取得を希望する電話番号の取得が可能であると判断できた場合に、電話回線の契約を行うことができるものである。
また、契約情報送信手段により契約情報を送信することによって、販売代理店等で回線契約を行った契約者の身分証明を行う際等の便宜を図ることができるものである。
更に、契約情報登録手段により契約情報を登録することによって、必要に応じた契約情報の閲覧が可能となり、通信端末機の販売の際や契約者の身分証明を行う際の便宜を図ることができるものである。
また、ユーザー情報送信手段により電話番号の取得を希望するユーザーの情報を送信することによって、回線契約を行う場合における契約者の特定が容易にできるようになるものである。なお、同様にユーザー情報受信手段にり電話番号の取得を希望するユーザーの情報を受信することによっても、回線契約を行う場合における契約者の特定が容易にできるようになるものである。
【００１６】
また、本発明に係る通信端末機販売支援システムは、クライアント端末及び電話番号サーバーにより通信端末機の販売を支援する通信端末機販売支援システムであって、前記クライアント端末は、取得を希望する電話番号の情報を検索情報として通信回線を介して送信する検索情報送信手段と、取得を希望する通信端末機の情報を通信端末機情報として通信回線を介して送信する通信端末機情報送信手段を備え、前記電話番号サーバーは、利用可能な電話番号を登録する電話番号登録手段と、利用可能な通信端末機を登録する通信端末機登録手段と、前記検索情報送信手段によって送信された検索情報を受信し、該検索情報に基づいて電話番号検索を行う電話番号検索手段と、前記通信端末情報送信手段によって送信された通信端末機情報を受信し、該通信端末機情報に基づいて通信端末機検索を行う通信端末機検索手段と、前記電話番号検索手段による検索結果を告知する検索結果告知手段と、前記通信端末機検索手段による検索結果を告知する通信端末機情報告知手段とを備えることを特徴とする。
【００１７】
また、本発明に係る通信端末機販売支援システムは、電話番号サーバーにより通信端末機の販売を支援する通信端末機販売支援システムであって、前記電話番号サーバーは、利用可能な電話番号を登録する電話番号登録手段と、利用可能な通信端末機を登録する通信端末機登録手段と、取得を希望する電話番号の情報を検索情報として通信回線を介して受信し、該検索情報に基づいて電話番号検索を行う電話番号検索手段と、取得を希望する通信端末機の情報を通信端末機情報として通信回線を介して受信し、該通信端末機情報に基づいて通信端末機検索を行う通信端末機検索手段と、前記電話番号検索手段による検索結果を告知する検索結果告知手段と、前記通信端末機検索手段による検索結果を告知する通信端末機情報告知手段とを備えることを特徴とする。
【００１８】
また、本発明に係る通信端末機販売支援システムは、クライアント端末、電話番号サーバー及び販売店端末により通信端末機の販売を支援する通信端末機販売支援システムであって、前記クライアント端末は、取得を希望する電話番号の情報を検索情報として通信回線を介して送信する検索情報送信手段と、取得を希望する通信端末機の情報を通信端末機情報として通信回線を介して送信する通信端末機情報送信手段を備え、前記電話番号サーバーは、利用可能な電話番号を登録する電話番号登録手段と、利用可能な通信端末機を登録する通信端末機登録手段と、前記検索情報送信手段によって送信された検索情報を受信し、該検索情報に基づいて電話番号検索を行う電話番号検索手段と、前記通信端末機情報送信手段によって送信された通信端末機情報を受信し、該通信端末機情報に基づいて通信端末機検索を行う通信端末機検索手段と、前記電話番号検索手段による検索結果を告知する検索結果告知手段と、前記通信端末機検索手段による検索結果を告知する通信端末機情報告知手段と、取得を希望する電話番号の回線契約を行う電話回線契約手段と、該電話回線契約手段により回線契約がなされた場合に販売店端末に前記検索情報及び通信端末機情報を契約情報として通信回線を介して送信する契約情報送信手段を備え、前記販売店端末は、契約情報送信手段によって送信された契約情報を受信し、該契約情報を登録する契約情報登録手段を備えることを特徴とする。
【００１９】
また、本発明に係る通信端末機販売支援システムは、クライアント端末、電話番号サーバー及び販売店端末により通信端末機の販売を支援する通信端末機販売支援システムであって、前記クライアント端末は、取得を希望する電話番号の情報を検索情報として通信回線を介して送信する検索情報送信手段と、取得を希望する通信端末機の情報を通信端末機情報として通信回線を介して送信する通信端末機情報送信手段と、電話番号の取得を希望するユーザーの情報をユーザー情報として通信回線を介して送信するユーザー情報送信手段を備え、前記電話番号サーバーは、利用可能な電話番号を登録する電話番号登録手段と、利用可能な通信端末機を登録する通信端末機登録手段と、前記検索情報送信手段によって送信された検索情報を受信し、該検索情報に基づいて電話番号検索を行う電話番号検索手段と、前記通信端末機情報送信手段によって送信された通信端末機情報を受信し、該通信端末機情報に基づいて通信端末機検索を行う通信端末機検索手段と、前記電話番号検索手段による検索結果を告知する検索結果告知手段と、前記通信端末機検索手段による検索結果を告知する通信端末機情報告知手段と、取得を希望する電話番号の回線契約を行う電話回線契約手段と、該電話回線契約手段により回線契約がなされた場合に販売店端末に前記検索情報、及び／又は、前記ユーザー情報、及び通信端末機情報を契約情報として通信回線を介して送信する契約情報送信手段を備え、前記販売店端末は、契約情報送信手段によって送信された契約情報を受信し、該契約情報を登録する契約情報登録手段を備えることを特徴とする。
【００２０】
また、本発明に係る通信端末機販売支援システムは、電話番号サーバーにより通信端末機の販売を支援する通信端末機販売支援システムであって、前記電話番号サーバーは、利用可能な電話番号を登録する電話番号登録手段と、利用可能な通信端末機を登録する通信端末機登録手段と、取得を希望する電話番号の情報を検索情報として通信回線を介して受信し、該検索情報に基づいて電話番号検索を行う電話番号検索手段と、取得を希望する通信端末機の情報を通信端末機情報として通信回線を介して受信し、該通信端末機情報に基づいて通信端末機検索を行う通信端末機検索手段と、前記電話番号検索手段による検索結果を告知する検索結果告知手段と、前記通信端末機検索手段による検索結果を告知する通信端末機情報告知手段と、取得を希望する電話番号の回線契約を行う電話回線契約手段と、該電話回線契約手段により回線契約がなされた場合に、前記検索情報及び通信端末機情報を契約情報として通信回線を介して送信する契約情報送信手段を備えることを特徴とする。
【００２１】
また、本発明に係る通信端末機販売支援システムは、電話番号サーバーにより通信端末機の販売を支援する通信端末機販売支援システムであって、前記電話番号サーバーは、利用可能な電話番号を登録する電話番号登録手段と、利用可能な通信端末機を登録する通信端末機登録手段と、取得を希望する電話番号の情報を検索情報として通信回線を介して受信し、該検索情報に基づいて電話番号検索を行う電話番号検索手段と、取得を希望する通信端末機の情報を通信端末機情報として通信回線を介して受信し、該通信端末機情報に基づいて通信端末機検索を行う通信端末機検索手段と、前記電話番号検索手段による検索結果を告知する検索結果告知手段と、前記通信端末機検索手段による検索結果を告知する通信端末機情報告知手段と、電話番号の取得を希望するユーザーの情報をユーザ情報として通信回線を介して受信するユーザー情報受信手段と、取得を希望する電話番号の回線契約を行う電話回線契約手段と、該電話回線契約手段により回線契約がなされた場合に、前記検索情報、及び／又は、前記ユーザー情報、及び通信端末機情報を契約情報として通信回線を介して送信する契約情報送信手段を備えることを特徴とする。
【００２２】
また、本発明に係る通信端末機販売支援システムは、販売店端末により通信端末機の販売を支援する通信端末機販売支援システムであって、前記販売店端末は、利用可能な電話番号を登録する電話番号登録手段、利用可能な通信端末機を登録する通信端末機登録手段、取得を希望する電話番号の情報を検索情報として通信回線を介して受信し、該検索情報に基づいて電話番号検索を行う電話番号検索手段、取得を希望する通信端末機の情報を通信端末機情報として通信回線を介して受信し、該通信端末機情報に基づいて通信端末機検索を行う通信端末機検索手段、前記電話番号検索手段による検索結果を告知する検索結果告知手段、前記通信端末機検索手段による検索結果を告知する通信端末機情報告知手段、取得を希望する電話番号の回線契約を行う電話回線契約手段、該電話回線契約手段により回線契約がなされた場合に販売店端末に前記検索情報及び前記通信端末機情報を契約情報として通信回線を介して送信する契約情報送信手段を備える電話番号サーバーの契約情報送信手段によって送信された前記契約情報を受信する契約情報受信手段と、該契約情報受信手段によって受信した前記契約情報を登録する契約情報登録手段を備えることを特徴とする。
【００２３】
また、本発明に係る通信端末機販売支援システムは、販売店端末により通信端末機の販売を支援する通信端末機販売支援システムであって、前記販売店端末は、利用可能な電話番号を登録する電話番号登録手段、利用可能な通信端末機を登録する通信端末機登録手段、取得を希望する電話番号の情報を検索情報として通信回線を介して受信し、該検索情報に基づいて電話番号検索を行う電話番号検索手段、取得を希望する通信端末機の情報を通信端末機情報として通信回線を介して受信し、該通信端末機情報に基づいて通信端末機検索を行う通信端末機検索手段、前記電話番号検索手段による検索結果を告知する検索結果告知手段、前記通信端末機検索手段による検索結果を告知する通信端末機情報告知手段、電話番号の取得を希望するユーザーの情報をユーザー情報として通信回線を介して受信するユーザー情報受信手段、取得を希望する電話番号の回線契約を行う電話回線契約手段、該電話回線契約手段により回線契約がなされた場合に販売店端末に前記検索情報、及び／又は、前記ユーザー情報、及び前記通信端末機情報を契約情報として通信回線を介して送信する契約情報送信手段を備える電話番号サーバーの契約情報送信手段によって送信された前記契約情報を受信する契約情報受信手段と、該契約情報受信手段によって受信した前記契約情報を登録する契約情報登録手段を備えることを特徴とする。
【００２４】
ここで、通信端末機情報送信手段により取得を希望する通信端末機の情報を電話番号サーバーに送信することによって、電話番号サーバーにおいて検索の対象とすべき通信端末機の特定を行っている。
また、通信端末機登録手段により、利用可能である、即ち、電話番号を付与することが可能である通信端末機を登録し、通信端末機情報に基づき検索を行う際の被検索データを構成している。
更に、通信端末機検索手段により、通信端末機登録手段に登録された通信端末機の中から、通信端末機情報に基づいて検索を行う。
また、通信端末機情報告知手段により、取得を希望する通信端末機の検索を行ったユーザーは、希望する通信端末機の利用が可能であるか否かについての情報を得ることができる。
【発明の効果】
【００２５】
以上述べてきた如く、本発明の通信端末機販売支援システムによれば、通信端末機に付与される電話番号の選択を可能とし、通信端末機に希望する電話番号を付与して欲しいというユーザー等の要望に応えることによって、通信端末機の販売拡大の支援が可能となる。
【発明を実施するための最良の形態】
【００２６】
以下、本発明の実施の形態を図面を参酌しながら説明し、本発明の理解に供する。
【００２７】
図１に本発明を適用した通信端末機販売支援システムの一例を説明するためのブロック図を示す。ここで示すクライアント端末１はインターネット２を介して電話番号サーバー３と相互に通信が可能であるように構成されている。
ここで、クライアント端末と電話番号サーバーの通信は、クライアント端末が電話番号サーバーにアクセスすることが可能であれば充分であり、必ずしもインターネット接続を利用する必要は無いのであって、ＬＡＮ（Local Area Network）接続等を利用しても良い。
【００２８】
ここで、クライアント端末は、検索情報送信手段４及びユーザー情報送信手段５を有し、検索情報送信手段は、ユーザーが取得を希望する携帯電話の電話番号の情報を電話番号サーバーに検索情報として送信できるように構成されており、ユーザー情報送信手段は、携帯電話の電話回線の契約を希望するユーザーの住所、氏名、電話番号、年齢、性別等を電話番号サーバーにユーザー情報として送信できるように構成されている。
【００２９】
なお、検索情報送信手段によって送信する検索情報は、ユーザーが検索を希望する携帯電話の電話番号が特定されれば充分であり、必ずしも、携帯電話の１１桁の電話番号を送信する必要はないのであって、電話番号の下４桁の番号や電話番号の下３桁の番号等であっても構わない。
また、ユーザー情報送信手段は、携帯電話の回線契約を行う際にユーザー、即ち、電話回線の契約者の特定が容易に行えるように、住所、氏名、年齢、性別等を電話番号サーバーにユーザー情報として送信するのであって、電話回線の契約者の特定が容易に行えるのであれば充分であり、必ずしも例示する住所等の全てを送信する必要は無く、また、例示する住所等の情報以外のユーザー情報を送信しても構わないのは勿論である。
【００３０】
また、電話番号サーバーは、電話番号登録手段６、電話番号検索手段７、検索結果告知手段８及び電話回線契約手段９を有し、電話番号登録手段は、現在利用することが可能である携帯電話の電話番号が登録できるように構成されており、電話番号検索手段は、クライアント端末の検索情報送信手段によって送信された検索情報に基づいて、電話番号登録手段に登録された電話番号の中から、ユーザーが取得を希望する番号、即ち、ユーザーが検索の対象とした電話番号の検索ができるように構成されている。
また、検索結果告知手段は、検索の結果、携帯電話の電話番号の取得が可能であるか否かの結果を、検索を行ったユーザーに対してホームページ上で告知ができるように構成されており、電話回線契約手段は、検索対象となった電話番号の取得が可能である場合に、クライアント端末のユーザー情報送信手段によって送信されたユーザー情報に基づいて、携帯電話の回線契約を行えるように構成されている。
【００３１】
ここで、電話番号登録手段は、現在利用可能である携帯電話の電話番号の登録が可能であれば良く、単一の第一種電気通信事業者が有する携帯電話の電話番号を登録しても良いし、複数の第一種電気通信事業者が有する携帯電話の電話番号を登録しても良い。更に、特定の第一種電気通信事業者が有する携帯電話の電話番号の全てを電話番号登録手段に登録しても良いし、特定の第一種電気通信事業者が有する携帯電話の一部分を電話番号登録手段に登録しても良い。
また、電話番号検索手段は、以下に具体的な検索方法を例示するが、かかる検索方法に限定されることはなく、検索情報に基づいて携帯電話の電話番号の検索を行うことができれば、どのような検索方法であっても良い。
更に、検索結果告知手段は、検索を行ったユーザーに検索の結果を告知することができればどのような手段でも良く、必ずしもホームページ上に検索結果を表示することによって告知を行う必要は無く、電子メール等によって告知を行っても構わない。
また、電話回線契約手段は、身分証明の問題等によってインターネットを通じて本契約を行うことが困難である場合には、必ずしもインターネットを通じて本契約を行わせる必要は無く、インターネットを通じて仮契約を行わせ、販売代理店等で身分証明を行うという留保を伴う契約を行わせるものであっても構わない。
【００３２】
以下、電話番号検索手段による検索方法を例示する。
ここで、携帯電話の電話番号は「０９０」で始まる１１桁の番号であるが、上３桁の番号（即ち、０９０の番号）を第１ブロック、次の４桁の番号を第２ブロック、下４桁の番号を第３ブロックと定義する。
【００３３】
（第３ブロック検索）
第３ブロックの４桁の番号を指定し、指定した４桁の番号と一致する電話番号を検索する方法である。
例えば、指定する４桁の番号が「１２３４」であった場合には、検索される電話番号は、「０９０−１１１１−１２３４」、「０９０−２２２２−１２３４」等である。
【００３４】
（第２ブロック検索）
第２ブロックの４桁の番号を指定し、指定した４桁の番号と一致する電話番号を検索する方法である。
例えば、指定する４桁の番号が「５６７８」であった場合には、検索される電話番号は、「０９０−５６７８−１１１１」、「０９０−５６７８−２２２２」等である。
【００３５】
（第２、第３ブロック検索）
第２ブロックの４桁の番号及び第３ブロックの４桁の番号を指定し、指定した８桁の番号と完全に一致する電話番号を検索する方法である。
例えば、指定する８桁の番号が「１２３４−５６７８」であった場合には、検索される電話番号は「０９０−１２３４−５６７８」のみである。
【００３６】
（非相関ワイルドカード検索）
第２ブロックの４桁の番号又は第３ブロックの４桁の番号の中から、少なくとも１桁の番号を指定し、指定した番号と一致する電話番号を検索する方法である。
例えば、指定する３桁の番号が第３ブロックの「１２３※」（※は任意の番号を示す）であった場合には、検索される電話番号は「０９０−１１１１−１２３５」、「０９０−２２２２−１２３８」等であり、指定する２桁の番号が第３ブロックの「※※７７」（※は任意の番号を示す）であった場合には、検索される電話番号は「０９０−３３３３−１５７７」、「０９０−４４４４−０９７７」等である。
なお、本検索方法では、第３ブロックの番号が任意である場合の指定についての検索方法を示したが、第２ブロックの番号が任意であるとして検索しても良く、また、第２ブロックと第３ブロックの双方に任意の番号が存在するとして検索を行っても構わない。
【００３７】
（連番検索）
第２ブロック又は第３ブロックのいずれかの個所の番号が連番となるように指定し、指定した個所の番号が連番となるような電話番号を検索する方法である。
例えば、指定する条件が第３ブロックの「※※※○」（※は任意の番号を示す、○は連番を示す）であった場合には、検索される電話番号は、
「０９０−１２３４−０００１」
「０９０−１２３４−０００２」
「０９０−１２３４−０００３」
や
「０９０−５６７８−９９９１」
「０９０−５６７８−９９９２」
「０９０−５６７８−９９９３」
等であり、指定する条件が第３ブロックの「○※※※」（※は任意の番号を示す、○は連番を示す）であった場合には、検索される電話番号は、
「０９０−４３２１−１５５５」
「０９０−４３２１−２５５５」
「０９０−４３２１−３５５５」
や
「０９０−８７６５−１９９９」
「０９０−８７６５−２９９９」
「０９０−８７６５−３９９９」
等である。
なお、本検索方法では、第３ブロックに連番がくるような条件を指定する検索方法を示したが、第２ブロックに条件を指定して検索を行っても構わない。
【００３８】
（相関ワイルドカード検索）
具体的な番号を指定して検索を行うのではなく、各番号が一定の条件を充たす様に配列された電話番号を検索する方法である。
例えば、Ａ，Ｂ，Ｃ，Ｄ，Ｅ，Ｆ，Ｇ，Ｈ，Ｉ，Ｊ，ａ，ｂ，ｃ，ｄ，ｅ，ｆ，ｇ，ｈが下記の条件を満足するものという設定を設けている。
Ｂ＝Ａ＋１
Ｃ＝Ａ＋２
Ｄ＝Ａ＋３
Ｅ＝Ａ＋４
Ｆ＝Ａ＋５
Ｇ＝Ａ＋６
Ｈ＝Ａ＋７
Ｉ＝Ａ＋８
Ｊ＝Ａ＋９
【００３９】
上記の足し算で、２桁の数字となった場合には、下１桁の数字を使用するようにしている。
【００４０】
また、
ｂ＝Ａ以外の数
ｃ＝Ａとｂ以外の数
ｄ＝Ａとｂとｃ以外の数
ｅ＝Ａとｂとｃとｄ以外の数
ｆ＝Ａとｂとｃとｄとｅ以外の数
ｇ＝Ａとｂとｃとｄとｅとｆ以外の数
ｈ＝Ａとｂとｃとｄとｅとｆとｇ以外の数
【００４１】
上記のような設定の下で、例えば、第２ブロックと第３ブロックの番号に「ＡＢＣＤ−ＡＢＣＤ」との条件を指定した場合には、検索される電話番号は、
「０９０−０１２３−０１２３」
「０９０−１２３４−１２３４」
「０９０−２３４５−２３４５」
「０９０−３４５６−３４５６」
「０９０−４５６７−４５６７」
「０９０−５６７８−５６７８」
「０９０−６７８９−６７８９」
「０９０−７８９０−７８９０」
「０９０−８９０１−８９０１」
「０９０−９０１２−９０１２」
であり、例えば、第３ブロックの番号に「ＡＡｂｂ」との条件を指定した場合には、検索される電話番号は、
「０９０−１１１１−００１１」
「０９０−１１１１−００２２」
「０９０−１１１１−００３３」
・
・
（中略）
・
・
「０９０−１１１１−００９９」
「０９０−１１１１−１１００」
「０９０−１１１１−１１２２」
「０９０−１１１１−１１３３」
・
・
（中略）
・
・
「０９０−１１１１−９９７７」
「０９０−１１１１−９９８８」
「０９０−１１１１−９９９９」
等である。
【００４２】
上記の様に構成された通信端末機販売支援システムにおいては、先ず、ユーザーが取得を希望する携帯電話の電話番号をクライアント端末の検索情報送信手段を用いてインターネットを介して電話番号サーバーに送信すると共に、ユーザーの住所、氏名、電話番号、年齢、性別等をクライアント端末のユーザー情報送信手段を用いてインターネットを介して電話番号サーバーに送信する。
クライアント端末から検索情報及びユーザー情報を受信した電話番号サーバーでは、電話番号登録手段に登録された利用可能である携帯電話の電話番号の中から、検索情報に基づき、ユーザーの検索条件を充たす電話番号の検索を行い、検索結果をホームページ上にてユーザーに即座に告知する。
【００４３】
ユーザーの希望した条件を充たす電話番号が見つからない場合には、ユーザーは再びクライアント端末の検索情報送信手段によって検索条件を入力し、再度電話番号検索手段によって電話番号の検索を行う。
【００４４】
ユーザーが希望した条件を充たす電話番号が見つかった場合には、電話回線契約手段によって希望する電話番号の仮契約を行う。ここで、クライアント端末のユーザー情報送信手段によって電話回線の契約を行うユーザーの情報は既に電話番号サーバーに送信されているので、回線契約の際に、再度ユーザーの個人情報を入力する必要は無い。
【００４５】
電話回線契約手段により希望する電話番号の電話回線の仮契約を行ったユーザーは販売代理店で身分証明を行い電話回線の本契約を行う。一方、販売代理店は、携帯電話機本体に電話番号を付与すると共に、回線開通作業を行い、ユーザーに携帯電話の引渡しを行う。
なお、携帯電話機本体の購入は、電話回線契約後であっても電話回線契約前であっても構わないのは勿論であり、携帯電話機本体の入手方法は、必ずしも販売代理店から購入する必要はなく、通信販売等によって入手しても構わない点も勿論である。
【００４６】
本発明を適用した通信端末機販売支援システムでは、ユーザーが取得を希望する電話番号の回線契約の仮契約がインターネットを介して容易に行うことができ、希望する電話番号を取得したユーザーの携帯電話機本体の購入意欲をかきたてることによって、携帯電話機本体の販売の拡大を図ることが可能となる。
また、ユーザーにとっては、希望する携帯電話機本体が売れ筋商品であった場合等で、すぐに携帯電話機本体が購入できない場合であっても、先取り的に希望する電話番号の回線契約が可能であり、希望する携帯電話の電話番号が確保できるものである。
更に、ユーザーが販売代理店等で希望する携帯電話機本体を見つけた場合に、先取り的に携帯電話機本体を購入し、事後的に電話回線契約を行うということが可能となり、携帯電話機本体が電話回線契約とは無関係に購入できるようになることによって、携帯電話機本体の販売の拡大を図ることが可能となる。
なお、第一種電気通信事業者にとっては、携帯電話機本体が存在しない状態であっても契約を行うことが可能となり、電話回線契約日より回線利用料を徴収することが可能となる。
【００４７】
ここで、本発明を適用した通信端末機販売支援システムでは、通信端末機として携帯電話を一例に挙げたが、通信端末機は必ずしも携帯電話でなければならないということはなく、固定電話やＰＨＳ等であっても構わない。
【００４８】
図２に本発明を適用した通信端末機販売支援システムの他の一例を説明するためのブロック図を示す。ここで示すクライアント端末１はＰＨＳの販売代理店１０に設置してあり、専用回線１１を介して電話番号サーバー３と相互に通信が可能であるように構成されている。
なお、クライアント端末と電話番号サーバーの通信は、クライアント端末が電話番号サーバーにアクセスすることが可能であれば充分であり、必ずしも専用回線を介して接続する必要な無いのであって、インターネット接続等を利用しても良い。
【００４９】
ここで、クライアント端末は、検索情報送信手段４及びＰＨＳ情報送信手段１２を有し、ＰＨＳ情報送信手段は、ユーザー１３が購入を希望するＰＨＳの情報を電話番号サーバーにＰＨＳ情報として送信できるように構成されている。
【００５０】
また、電話番号サーバーは、電話番号登録手段６、ＰＨＳ登録手段１４、電話番号検索手段７、ＰＨＳ検索手段１５、検索結果告知手段８及びＰＨＳ情報告知手段１６を有し、ＰＨＳ登録手段は、販売代理店が販売することが可能であるＰＨＳが登録できるように構成されており、ＰＨＳ検索手段は、クライアント端末のＰＨＳ情報送信手段によって送信されたＰＨＳ情報に基づいて、ＰＨＳ登録手段に登録されたＰＨＳの中から、ユーザーが購入を希望するＰＨＳの検索ができるように構成されおり、ＰＨＳ情報告知手段は、検索の結果、ＰＨＳの取得が可能であるか否かの結果をホームページ上で告知ができるように構成されている。
【００５１】
ここで、ＰＨＳ登録手段は、ユーザーが出向いた販売代理店がＰＨＳの購入を希望するユーザーに販売することが可能であるＰＨＳの登録が可能であれば良く、ユーザーが出向いた販売代理店に在庫として保有するＰＨＳの登録のみを行っても良いし、多店舗展開している販売代理店の場合にあっては、他の販売代理店が在庫として保有するＰＨＳの登録を行っても良い。更には、第一種電気通信事業者が在庫として保有するＰＨＳの登録を行っても良い。
また、ＰＨＳ情報告知手段は、検索の結果を告知することができればどのような手段でも良く、必ずしもホームページ上に検索結果を表示することによって告知を行う必要は無く、電子メール等によって告知を行っても構わない。
【００５２】
上記の様に構成された通信端末機販売支援システムにおいては、先ず、ユーザーが販売代理店に出向き、販売代理店において回線契約を希望するＰＨＳの電話番号と購入を希望するＰＨＳ本体の機種の選択を行う。
販売代理店はユーザーが希望したＰＨＳの電話番号及びＰＨＳ本体の機種情報を販売代理店に設置したクライアント端末の検索情報送信手段及びＰＨＳ情報送信手段を用いて、専用回線を介して電話番号サーバーに送信する。
クライアント端末から検索情報及びＰＨＳ情報を受信した電話番号サーバーでは、電話番号登録手段に登録された利用可能であるＰＨＳの電話番号の中から、検索情報に基づき、検索条件を充たす電話番号の検索を行うと共に、ＰＨＳ登録手段に登録された販売が可能であるＰＨＳの中から、ＰＨＳ情報に基づき、検索条件を充たすＰＨＳの検索を行い、検索結果をホームページ上にて即座に告知する。
ユーザーの希望した条件を充たす電話番号又はＰＨＳが見つからない場合には、再度検索条件をクライアント端末より送信し、検索のやりなおしを行う。
【００５３】
ユーザーが希望した条件を充たす電話番号及びＰＨＳが見つかった場合には、ユーザーは販売代理店にて回線契約を行うと共にＰＨＳ本体を購入する。販売代理店はＰＨＳ本体へ電話番号の付与を行うと共に、電話回線の開通作業を行い、ＰＨＳを利用可能な状態にした上で、ユーザーにＰＨＳの引渡しを行う。
【００５４】
本発明を適用した通信端末機販売支援システムでは、ユーザーが取得を希望するＰＨＳの電話番号及びユーザーが購入を希望するＰＨＳの機種を選択してＰＨＳの契約を行うことができ、希望するＰＨＳの電話番号を取得したいというユーザーの希望に沿うことによりＰＨＳ本体の購入意欲をかきたてることによって、ＰＨＳ本体の販売の拡大を図ることが可能となる。
ここで、本発明を適用した通信端末機販売支援システムでは、通信端末機としてＰＨＳを一例に挙げたが、通信端末機は必ずしもＰＨＳでなければならないということはなく、携帯電話や固定電話等であっても構わない。
【００５５】
図３に本発明を適用した通信端末機販売支援システムの更なる他の一例を説明するためのブロック図を示す。ここで示すクライアント端末１はインターネット２を介して電話番号サーバー３と相互に通信が可能であるように構成されている。また、販売店端末１７は携帯電話の販売代理店１０に設置してあり、専用回線１１を介して電話番号サーバーと相互に通信が可能であるように構成されている。
なお、クライアント端末と電話番号サーバーの通信は、クライアント端末が電話番号サーバーにアクセスすることが可能であれば充分であり、必ずしもインターネット接続を利用する必要は無いのであって、ＬＡＮ接続や専用回線接続等を利用しても良い点は前述の本発明を適用した通信端末機販売支援システムの一例と同様である。
同様に、販売店端末と電話番号サーバーの通信は、販売店端末が電話番号サーバーにアクセスすることが可能であれば充分であり、必ずしも専用回線を介して接続する必要は無いのであって、インターネット接続等を利用しても良い。
【００５６】
ここで、クライアント端末は、検索情報送信手段４、携帯電話情報送信手段１８及びユーザー情報送信手段５を有し、携帯電話情報送信手段は、ユーザーが購入を希望する携帯電話の情報を電話番号サーバーに携帯電話情報として送信できるように構成されている。
【００５７】
また、電話番号サーバーは、電話番号登録手段６、携帯電話登録手段１９、電話番号検索手段７、携帯電話検索手段２０、検索結果告知手段８、携帯電話情報告知手段２１、電話回線契約手段９及び契約情報送信手段２２を有し、携帯電話登録手段は、販売代理店が販売することが可能である携帯電話が登録できるように構成されており、携帯電話検索手段は、クライアント端末の携帯電話情報送信手段によって送信された携帯電話情報に基づいて、携帯電話登録手段に登録された携帯電話の中から、ユーザーが購入を希望する携帯電話の検索ができるように構成されており、携帯電話情報告知手段は、検索の結果、携帯電話の取得が可能であるか否かの結果をホームページ上で告知できるように構成されており、契約情報送信手段は、電話回線契約手段によって携帯電話の回線契約がなされた場合に回線契約を行った電話回線の電話番号、回線契約を行った電話番号を付与する携帯電話の機種、回線契約を行ったユーザーの情報を販売店端末に送信できるように構成されている。
【００５８】
ここで、携帯電話登録手段は、販売代理店が携帯電話の購入を希望するユーザーに販売することが可能である携帯電話の登録が可能であれば良く、販売代理店に在庫として保有する携帯電話の登録を行っても良いし、第一種電気通信事業者が在庫として保有する携帯電話の登録を行っても良い。
また、携帯電話情報告知手段は、検索の結果を告知することができればどのような手段でも良く、必ずしもホームページ上に検索結果を表示することによって告知を行う必要は無く、電子メール等によって告知を行っても構わない。
更に、契約情報送信手段は、販売代理店において電話回線の本契約及び携帯電話機本体の引渡しの際の便宜を図るべく必要な情報を販売店端末に送信するのであり、必ずしも回線契約を行った電話回線の電話番号、回線契約を行った電話番号を付与する携帯電話の機種、回線契約を行ったユーザーの情報の全てを送信する必要は無く、これらの中から必要なもののみを送信しても良く、これらの情報に他の情報を付加を行って送信しても良い。
【００５９】
また、販売店端末は、契約情報登録手段２３を有し、契約情報登録手段は、電話番号サーバーの契約情報送信手段によって送信された契約情報が登録できるように構成されている。
【００６０】
上記の様に構成された通信端末機販売支援システムにおいては、先ず、ユーザーがインターネットを介して、取得を希望する携帯電話の電話番号をクライアント端末の検索情報送信手段によって電話番号サーバーに送信をする。
クライアント端末から検索情報を受信した電話番号サーバーでは、電話番号登録手段に登録された利用可能である携帯電話番号の中から、検索情報に基づき、ユーザーの検索条件を充たす電話番号の検索を行い、検索結果をホームページ上にてユーザーに即座に告知する。
ユーザーの希望した条件を充たす電話番号が見つからない場合には、ユーザーは再びクライアント端末の検索情報送信手段によって検索条件を入力し、再度電話番号検索手段によって電話番号の検索を行う。
【００６１】
ユーザーが希望した条件を充たす電話番号が見つかった場合には、ユーザーは購入を希望する携帯電話機本体の機種及び携帯電話機本体の受取を希望する販売代理店の情報をクライアント端末の携帯電話情報送信手段によって電話番号サーバーに送信を行うと共に、ユーザーの住所、氏名、電話番号、年齢、性別等をクライアント端末のユーザー情報送信手段によりインターネットを介して電話番号サーバーに送信する。
ここで、受取を希望する販売代理店の情報を送信するのは、ユーザーの携帯電話機本体の受取の便宜を図るためであり、販売代理店の情報は必ずしも送信しなければならないというものではない。
なお、ユーザーが携帯電話機本体の受取を希望する販売代理店の情報を送信していない場合には、ユーザーが送信したユーザーの住所に基づき、電話番号サーバーはユーザーの住所に最も近い販売代理店を携帯電話機本体の受け取りを行う販売代理店とし取り扱う。
【００６２】
続いて、電話番号サーバーは、ユーザーが受取を希望する販売代理店（ユーザーの住所に基づいて、電話番号サーバーが選択するユーザーの住所に最も近い販売代理店を含む。以下、同じ。）が、ユーザーが希望する携帯電話の機種を在庫として保有しているか否かを携帯電話検索手段によって検索を行う。
携帯電話検索手段による検索の結果、ユーザーが受取を希望する販売代理店がユーザーが希望する携帯電話機本体の在庫を有している場合には、電話回線加入契約（本契約）が可能である日時を考慮して、ユーザに携帯電話機本体受け渡し可能日をホームページ上に表示することによってユーザーに告知する。またこの際、ユーザーＩＤを併せてユーザーに告知する。
携帯電話検索手段による検索の結果、ユーザーが受取を希望する販売代理店がユーザーが希望する携帯電話機本体の在庫を有していない場合には、他の販売代理店もしくは、第一種電気通信事業者が有する携帯電話機本体の在庫を検索し、ユーザーが受取を希望する販売代理店に最も早く納品できる販売代理店又は第一種電気通信事業者に携帯電話機本体の発注を行う。この場合、電話回線加入契約（本契約）が可能である日時及び発注した携帯電話機本体の納品日を考慮して、ユーザーに携帯電話機本体受け渡し可能日をホームページ上に表示することによってユーザーに告知する。なお、この際もユーザーＩＤを併せてユーザーに告知する。
【００６３】
続いて、ユーザーは電話番号サーバーの電話回線手段によって希望する電話番号の仮契約を行う。ここで、クライアント端末のユーザー情報送信手段によって電話回線の契約を行うユーザーの情報は既に電話番号サーバーに送信されているので、回線契約の際に、再度ユーザーの個人情報を入力する必要な無い。
【００６４】
電話回線契約手段による回線契約が行われると、電話番号サーバーは契約情報送信手段によって、回線契約を行った携帯電話の電話番号、ユーザーが購入を希望する携帯電話の機種、ユーザーの個人情報及びユーザーＩＤをユーザーが受取を希望する販売代理店の販売店端末に送信する。
【００６５】
ユーザーは電話番号サーバーにより告知された携帯電話機本体受け渡し可能日以降に販売代理店に出向き、身分証明を行い電話回線の本契約を行う。一方、販売代理店は、契約情報が登録された契約情報登録手段からユーザーＩＤに基づいて、携帯電話を購入するユーザーを確認し、携帯電話機に電話番号を付与すると共に、回線開通作業を行い、ユーザーに携帯電話の引渡しを行う。
【００６６】
本発明を適用した通信端末機販売支援システムでは、ユーザーが取得を希望する携帯電話の電話番号及びユーザーが購入を希望する携帯電話の機種を選択して携帯電話の契約を行うことができると共に、ユーザーが受取を希望する販売代理店での携帯電話の引渡しができ、希望する携帯電話の電話番号を取得したいというユーザーの希望に沿うことにより携帯電話機本体の購入意欲をかきたてることによって、携帯電話機本体の販売の拡大を図ることが可能となる。
また、ユーザにとっては、予め希望する電話番号と携帯電話機本体を予約した上で販売代理店に出向くことができるので、手続き時間の大幅な短縮を図ることが可能である。
更に、第一種電気通信事業者にとっては、販売代理店の営業時間に拘らず回線加入契約見込みユーザーが確保できる。
また、販売代理店にとっては、接客時間の短縮により販売代理店のスタッフ１人あたりの対応処理効率の向上が期待できる。
ここで、本発明を適用した通信端末機販売支援システムでは、通信端末機として携帯電話を一例に挙げたが、通信端末機は必ずしも携帯電話でなければならないということはなく、ＰＨＳや固定電話等であっても構わない。
【図面の簡単な説明】
【００６７】
【図１】本発明を適用した通信端末機販売支援システムの一例を説明するためのブロック図である。
【図２】本発明を適用した通信端末機販売支援システムの他の一例を説明するためのブロック図である。
【図３】本発明を適用した通信端末機販売支援システムの更なる他の一例を説明するためのブロック図である。
【符号の説明】
【００６８】
１      クライアント端末
２      インターネット
３      電話番号サーバー
４      検索情報送信手段
５      ユーザー情報送信手段
６      電話番号登録手段
７      電話番号検索手段
８      検索結果告知手段
９      電話回線契約手段
１０    販売代理店
１１    専用回線
１２    ＰＨＳ情報送信手段
１３    ユーザー
１４    ＰＨＳ登録手段
１５    ＰＨＳ検索手段
１６    ＰＨＳ情報告知手段
１７    販売店端末
１８    携帯電話情報送信手段
１９    携帯電話登録手段
２０    携帯電話検索手段
２１    携帯電話情報告知手段
２２    契約情報送信手段
２３    契約情報登録手段
【図１】
2007166657.tif 000003
【図２】
2007166657.tif 000004
【図３】
2007166657.tif 000005